(57)【要約】【解決手段】本発明は、ドアなどの開閉体を設置するときの固定構造であって、レール等の案内体を走行するランナーに取り付けられている支持部材を、開閉体に配置されたホルダーに嵌め込んで保持する。ホルダーは二つの固定体を有し、該固定体の固定爪が回転して支持部材を固定するとともに、固定体が係合して固定状態を保持する。【効果】ランナーに取り付けられている支持部材を開閉体に取り付けられたホルダーを嵌入することで、開閉体を固定位置に適切に保持することができる。そして、施工者が前記支持部材を前記ホルダーに進入させることでホルダーに備えられている固定体を回動させて容易に支持部材を固定できるので、ワンタッチで簡単な固定が実現できる。【選択図】図５
2010138674.tif 000002
【特許請求の範囲】
【請求項１】
開閉体により開閉される被開閉部に配置される案内体と、
前記案内体を走行するものであって、支持部材を有するランナーと、
前記被開閉部に配置され支持部材を固定するホルダーを備えた開閉体の保持構造であって、
前記ホルダーは固定体を有し、該固定体の固定爪が回転して支持部材を固定することを特徴とする開閉体保持構造。
【請求項２】
ホルダーは回動可能に軸止された第一固定体と第二固定体とを備え、
第一固定体と第二固定体はホルダー内に設けられた支持部材の中板上の固定位置両側に配置され、
第一固定体は先端が係止片となる第一固定爪を有し、
第二固定体は第二固定爪と内側に凹部を有する係止爪を有し、
第一固定爪、第二固定爪と係止爪により固定位置で支持部材を固定しつつ、係止片が凹部に嵌合して両固定体の固定状態が保たれることを特徴とする請求項１に記載の開閉体保持構造。
【請求項３】
第一固定体及び第二固定体に弾性体が取り付けられ、支持部材がホルダーの固定位置に進入すると、前記両固定体が前記弾性体の反力により支持部材の進入方向と逆方向に回転する作用を有することを特徴とする請求項１または２のいずれかに記載の開閉体保持構造。
【請求項４】
支持部材は円柱状の軸部と、
軸部よりも直径が大きい下端部とからなるものであって、
第一固定体、第二固定体は支持部材との接触面が同じ曲率半径となる第一湾曲縁、第二湾曲縁を有することを特徴とする請求項１、２または３のいずれかに記載の開閉体保持構造。
【請求項５】
ホルダー内は水平状の中板で仕切り、その下側には支持部材の下端部を進入させる空洞部分を有し、
前記中板には軸部が進入する溝部が形成されていることを特徴とする請求項１、２、３または４のいずれかに記載の開閉体保持構造。
【請求項６】
溝部の入口付近は、入口側が平面突弧状に形成されていることを特徴とする請求項１、２、３、４または５のいずれかに記載の開閉体保持構造。
【請求項７】
支持部材の下端部は球状となっており、
空洞部分の垂直方向の長さと支持部材の球状体の垂直方向の長さとがほぼ同じであることを特徴とする請求項１、２、３、４、５または６のいずれかに記載の開閉体保持構造。
【発明の詳細な説明】
【技術分野】
【０００１】
本発明は、ドアなどの開閉体を設置するときの固定構造であって、ドアが設置される被開閉部にレール等の案内体があり、その案内体を走行するランナーに取り付けられている支持部材を、開閉体に配置されたホルダーに嵌め込んで前記ランナーに開閉体をワンタッチで保持する構造に関するものである。
【背景技術】
【０００２】
本発明の背景技術として、例えば特許文献１に記載の発明がある。
これは、走行体から垂下するネジ軸に弾性片を有する走行体支持部材を螺合し、この走行体支持部材を扉に取り付けられた受ケースの洞穴に嵌めて前記弾性片により着脱自在にすることを特徴とする。
また、特許文献２に記載の技術も存在する。
これは、開口部に配設された案内体を走行するランナと、扉などの開閉体に取り付けられた固着部とを有し、前記ランナには支持部材が設けられており、前記支持部材を前記固着部に取り付ける場合に、固着部への水平方向の動きが開閉体の高さ方向への移動に変換する移動変換手段を備えていることを特徴とする。
【０００３】
【特許文献１】特開２００３−９０１６６号公報（第１頁、第１図）
【特許文献２】特開２００５−１１３４４９号公報（第１頁、第１図）
【発明の開示】
【発明が解決しようとする課題】
【０００４】
特許文献１に記載の発明は、走行体から垂下するネジ軸に走行体支持部材を螺合しなければならず、必ずしも施工者が簡単に取り付けることができるものではなかった。また、走行体支持部材を受ケースに嵌めることが容易ではなかった。
一方、特許文献２に記載の発明は、前記支持部材の水平方向への動きを上下方向への動きに変換をすることになる。この場合に移動変換による力が作用して施工者が簡単に施工することができない。
【０００５】
そこで、施工者がワンタッチで簡単に施工できる保持構造が望まれており、特に支持部材をホルダーに容易に嵌入することができ、しかも、簡単に固定することができる開閉体の保持構造が望まれていた。
【課題を解決するための手段】
【０００６】
そこで、本発明の開閉体保持構造は、開閉体により開閉される被開閉部に配置される案内体と、前記案内体を走行するものであって、支持部材を有するランナーと、前記被開閉部に配置され支持部材を固定するホルダーを備えた開閉体の保持構造であって、前記ホルダーは固定体を有し、該固定体の固定爪が回転して支持部材を固定することを特徴とする。
【０００７】
また、ホルダーは回動可能に軸止された第一固定体と第二固定体とを備え、第一固定体と第二固定体はホルダー内に設けられた支持部材の中板上の固定位置両側に配置され、第一固定体は先端が係止片となる第一固定爪を有し、第二固定体は第二固定爪と内側に凹部を有する係止爪を有し、第一固定爪、第二固定爪と係止爪により固定位置で支持部材を固定しつつ、係止片が凹部に嵌合して両固定体の固定状態が保たれることが好ましい。
【０００８】
また、第一固定体及び第二固定体に弾性体が取り付けられ、支持部材がホルダーの固定位置に進入すると、前記両固定体が前記弾性体の反力により支持部材の進入方向と逆方向に回転する作用を有することが好ましい。
【０００９】
また、支持部材は円柱状の軸部と、軸部よりも直径が大きい下端部とからなるものであって、第一固定体、第二固定体は支持部材との接触面が同じ曲率半径となる第一湾曲縁、第二湾曲縁を有することが好ましい。
【００１０】
また、ホルダー内は水平状の中板で仕切り、その下側には支持部材の下端部を進入させる空洞部分を有し、前記中板には軸部が進入する溝部が形成されていることが好ましい。
【００１１】
また、溝部の入口付近は、入口側が平面突弧状に形成されていることが好ましい。
【００１２】
また、支持部材の下端部は球状となっており、空洞部分の垂直方向の長さと支持部材の球状体の垂直方向の長さとがほぼ同じであることが好ましい。
【発明の効果】
【００１３】
本発明の開閉体の保持構造により、ランナーに取り付けられている支持部材を開閉体に取り付けられたホルダーに嵌入することで、開閉体を固定位置に適切に保持することができる。
また、施工者が前記支持部材を前記ホルダーの溝部に進入させることでホルダーに備えられている固定体を回動させて容易に支持部材を固定できるので、ワンタッチで簡単な固定が実現できる。
しかも、前記固定体は回動可能に軸止され、取り付けられたスプリング等の弾性体の反力が溝部の入口側に作用するので、施工者が支持部材の固定を外せば容易に固定状態を解除することができ、支持部材がホルダーから出される。このように、容易に支持部材を固定、解除することが可能になる。
しかも、第一固定体、第二固定体は支持部材との接触面が全て同じ曲率半径となっているので、固定体により支持部材の軸部をしっかりと把持するので、強固な固定が可能になる。
【００１４】
また、本発明はホルダーの溝部に支持部材の軸部を進入させて固定するので、軸部が水平方向にズレを生じることがない。また、前記軸部の断面が円形で、溝部の入口付近が平面突弧状に形成されていることで、軸部の溝部への進入位置にズレが生じていても、軸部を奥方向へ押し込むだけでスムースに溝部へ進入させることが可能になる。
【００１５】
また、この球状部と、球状部を進入させる空洞部分とが同じ高さとなっており、支持部材を固定した後に垂直方向に隙間を生じさせることがないので、支持部材を固定した場合やその固定時に上下にズレを生じさせることがない。
また、球状となっているので、支持部材の固定時に進入方向にズレが生じていても奥方向へ押し込むだけでスムースに空間部分へと進入させることが可能になる。
【発明を実施するための最良の形態】
【００１６】
本発明を実施するための最良の形態について説明する。
図１は開閉体２を取り付ける被開閉部１や案内体３を示し、図２はランナー５と支持部材１２を示し、図３、図４はホルダー２１を示し、図５は支持部材をホルダーに固定するホルダーの作動状態を示し、図６は本発明の第二実施例の作動状態を示す。
【００１７】
図１に示すように、屋内の部屋と部屋との間や、廊下と部屋との間の壁面に開閉される部分があり、このような開閉される部分を被開閉部１とし、この被開閉部１に扉等の開閉体２が取り付けられる。
被開閉部１としては主として出入口がこれに該当するが、その他にも押入れ口、雨戸口、収納口などの特定部分を開閉、開放する部分を挙げることができる。
また、開閉体２としては扉、ドアなどがこれに該当するが、具体的には、引戸、スライドドア、折戸等を挙げることができる。
【００１８】
出入口等の被開閉部１に開閉体２を取り付けるに当って、被開閉部１の周辺、特に上縁付近に案内体３を配置する場合が多い。案内体３は水平方向に長いレール状であり、その中央には長手方向下側に向けて開放部４が形成されている。
図１では図示しないが、案内体３の内側にランナー５が移動可能に配置されている。このランナー５に形成されている支持部材１２を、開閉体２に取り付けられたホルダー２１に固定支持することによって、ランナー５に開閉体２を保持することができる。
【００１９】
図２に基づいて、ランナー５と支持部材１２について説明する。
ランナー５は案内体３と同程度の幅をもち、四方に車輪１１が形成されており、レール状の案内体３の内側を適宜移動することができる。ランナー５の移動は手動で動かすこともできるが、支持部材１２をホルダー２１に嵌め込んで固定した後はランナー５に取り付けられた開閉体２の開閉によって案内体３の下側を適宜移動する。
ランナー５の中央付近から垂直方向下側に向けて支持部材１２が形成されている。ランナー５を案内体３の内側に配置したとき、支持部材１２は案内体３の開放部４からその垂直方向下側に突出する。
【００２０】
ランナー５に形成された支持部材１２は、軸部１３と球状部１４とからなる。
本実施例における軸部１３は断面円形の円柱形状である。軸部１３の形状は断面が角張ったものでも良いが、円形とすることが好ましい。これは、ホルダー２１の溝部２５へ進入するとき、溝部２５の入口位置に対する軸部１３の左右位置に若干のズレが生じていても、適切に溝部２５に進入させることができるからである。
【００２１】
すなわち、後述のように、ホルダー２１の固定位置２２は上板２３、中板２４の中央付近にある溝部２５、２５の奥側である。この溝部２５、２５の入口から奥へ軸部１３を進入させるが、上板２３及び中板２４の溝部２５、２５の入口付近は平面突弧状に形成され、突弧部分２６、２６として形成されている。この突弧部分２６、２６と前記軸部１３が各々円形状となっていると、前記軸部１３の溝部２５への挿入位置にズレが生じていたとしても、施工者がホルダー２１を取り付けた開閉体２を、支持部材１２のある方向へ押し付けるだけで、溝部２５に対して軸部１３をスムーズかつ適切に位置修正することが可能になる。
【００２２】
また、本実施例では、球状の形状である球状部１４が軸部１３の下端に形成される下端部として形成されている。球状部１４は軸部１３の太さより直径が大きいことが必要である。下端部として軸部１３より直径の大きい円筒形状の場合でも支持部材１２に開閉体２を取り付け得るが、球状であることが好ましい。
すなわち、下端部が円筒形状だと下端部を空洞部分２７への進入が水平方向にズレが生じたときに位置修正できるが、球状部１４だと水平方向のみならず、垂直方向など他の方向にズレが生じても位置修正できるからである。
【００２３】
軸部１３がホルダー２１の溝部２５、２５に進入したとき、球状部１４は中板２４の下側の空洞部分２７に進入する。支持部分１２とホルダー２１との固定時では球状部１４の上側の面と中板２４の下側の面により開閉体２を吊り下げることになる。
この挿入時に球状部１４を全体に丸い球状とすることで、施工者がホルダー２１に取り付けられた開閉体２を支持部分１２のある方向に押し付けるだけで、溝部２５に対して軸部１３をスムーズかつ適切な位置に進入させることが可能になる。
【００２４】
ホルダー２１は図３、４に示すように、基部３１と枠体３２とからなる。基部３１は略半円状であるが、中央部分を切り欠いている。この切り欠いた部分を奥側へ張り出させてスペースが得られるように枠体３２を配置している。この枠体３２の内側に支持部材１２を固定するためのスペースが設けられる。ここに、上板２３及び中板２４を、さらに、第一固定体４１、第二固定体５１を配置し、これらにより支持部材１２をホルダー２１に固定することができる。
【００２５】
基部３１はその表面から裏面にかけてビス孔３５、３５、３５が３箇所、開口されている。このビス孔３５にビスを通してドアなどの開閉体２に基部３１を螺着する。
基部３１を開閉体２に螺着したとき、ホルダー２１の枠体３２が奥側に張り出した形状なので、図示しないが開閉体２の設置箇所には張り出した枠体３２が収まるための凹みを予め設けてある。
【００２６】
枠体３２の内側には、第一固定体４１、第二固定体４２などを配置して、支持部材１２を固定位置２２で固定することができるようにしてある。
ここでは、板状の部材でホルダー２１の表面側から奥側にかけて溝部２５、２５を有する上板２３、中板２４が配置されている。上板２３は枠体３２内側の上縁付近に取り付けられ、中板２４は枠体２３内側の中央付近に取り付けられている。溝部２５、２５の溝幅は軸部１３の断面直径と同程度としてあり、軸部１３が溝部２５、２５に挿入されると水平方向に動かないようになる。溝部２５、２５の最奥部が軸部１３の固定位置２２となる。
【００２７】
上板２３、中板２４の表面から裏面にかけて軸孔２８、２８、２８、２８が開孔されている。この軸孔２８、２８、２８、２８に回転軸止ピン３３、３３を通し、第一固定体４１と第二固定体４２とを回動可能に軸止する。
上板２３の軸孔２８、２８と、中板２４の軸孔２８、２８は垂直方向の同一軸線上に来るように開孔されているので、一本の回転軸止ピン３３、３３を上板２３の軸孔２８と中板２４の軸孔２８に通すことができる。
回転軸止ピン３３、３３の軸止において、第一固定体４１と第二固定体４２との間に弾性体となるスプリング３４、３４を取り付けてある。なお、弾性体はスプリング３４に限定されるものではなく、例えば板バネを利用するものであってもよい。
【００２８】
第一固定体４１はアーム４２とフック４３とからなる。
アーム４２は一方端に取っ手４４を有する長手状の部材で、他端付近でフック４３が回転軸止ピン３３により回動可能に軸止されている。フック４３の先端付近には前記軸部１３を固定するために、表面が湾曲する第一湾曲縁４７を有する第一固定爪４５が形成されている。第一湾曲縁４７の曲率は軸部１３と同じである。これにより軸部１３に接したとき、第一固定爪４５が軸部１３を強固に固定することができる。
また、第一固定体４１は取り付けられたスプリング３４の作用により、第一固定爪４５の湾曲方向であって、奥側から手前側に、すなわち、反時計針方向に回動する力が加えられている。
【００２９】
第二固定体５１は第二固定爪５２と係止爪５４とからなる。第二固定爪５２と係止爪５４との間には半円状に窪んだ第二湾曲縁５３が形成され、それを中央にして手前側が第二固定爪５２、奥側が係止爪５４となっている。第二湾曲縁５３の曲率は軸部１３と同じである。これにより軸部１３に接したとき、第二湾曲縁５３が軸部１３を強固に固定することができる。
また、第二固定体５１は取り付けられたスプリング３４の作用により、奥側から手前側に、すなわち、反時計針方向に回動する力が加えられている。
【００３０】
第二固定体５１の係止爪５４の先端には一部が凹んだ凹部５５が形成されている。凹部５５の凹みの大きさは第一固定体４１の第一固定爪４５の先端に形成されている係止片４６の凸形状と同じである。これにより、係止片４６が係止爪５４の凹部５５に嵌まり込んで係合する。
スプリング３４、３４の作用により、両固定体４１、５１が手前側に回動する力が加えられているが、第一固定体４１の第一固定爪４５の先端に形成されている係止片４６の凸形状と第二固定体５１の係止爪５４の凹部５５との係合により、係合した位置で両固定体４１、５１が位置決めされる。
この係合位置が上述した軸部１３の固定位置２２である。
【００３１】
中板２４の下側で基部３１までの間は空洞部分２７となっている。空洞部分２７は支持部材１２の球状部１４が挿入される部分である。本実施例における空洞部分２７は中板２４の厚みを大きくし、空洞部分２７の垂直方向の高さを球状部１４の直径と同じにしてある。これにより、空洞部分２７に球状部１４が挿入されたときや、支持部材１２が固定されたときに球状部１４の上下に余分なスペースがなく、上下方向に移動することがない。
【００３２】
次に、本実施例における支持部材１２をホルダー２１に固定する第一固定体４１、第二固定体５１の作用について説明する。
ランナー５に取り付けられた支持部材１２を、開閉体２に取り付けられたホルダー２１に嵌め込むにあたり、通常、施工者が開閉体２を手に持ち、支持部材１２の軸部１３をホルダー２１の溝部２５、２５に通して固定位置２２に進入するまで、押し付けることにより、ランナー５の支持部材１２に開閉体２を保持することができる。
【００３３】
図５（ａ）〜（ｄ）はホルダーを垂直方向上側から見た図であって、上板２３を外して第一固定体４１、第二固定体５１の作動状態を示している。図５（ａ）は、支持部材１２が固定されていない状態で、第一固定体４１、第二固定体５１はともにフリーの状態である。そして、図５（ｂ）にあるように、施工者が図５（ａ）の状態から軸部１３を溝部２５に進入させると、まず第二固定体５１の第二湾曲縁５３に接し、第二固定体５１をＢ方向に回動させる。
【００３４】
次に、図５（ｂ）の状態から軸部１３を溝部２５に、さらに進入させると、第二固定体５１がさらに回動し、第二固定体５１の係止爪５４の外壁が第一固定体４１のフック４３を押し、第一固定体４１をＡ方向に回動させる。そして、図５（ｃ）に示すように、第二固定体５１がある位置まで回動すると、係止爪５４の外壁とフック４３の先端の係止片４６が接しなくなり、前記フック４３が開放される。すると、フック４３はスプリング３４の反力によりＣ方向に回動し、第一湾曲縁４７に軸部１３が接することになる。第一固定体４１がこの位置まで回動すると、そのフック４３の先端の係止片４６が第二固定体５１の凹部５５に係合するので、この係合により第一固定体４１と第二固定体５１の両方の回動が阻止される。
【００３５】
このように、両固定体４１、５１がこの位置にあるとき、第一湾曲縁４７及び第二湾曲縁５３により軸部１３が抱持され、第一固定体４１と第二固定体５１とにより支持部材１２が狭持されることにより両者を固定することができる。この位置は溝部２５、２５の最奥部であって、そこが固定位置２２となる。
つまり、施工者は開閉体２を持ち、支持部材１２をホルダー２１に嵌め込んで行けば、支持部材１２をホルダー２１に固定できる。これにより、ワンタッチで、かつ、簡単にランナー５の支持部材１２への開閉体２の取付が可能になる。
【００３６】
逆に、上記固定状態を解除する作用について説明する。
上記固定状態を解除するに当っては、施工者が第一固定体４１のアーム４２の端部に形成されている取っ手４４をつまみ、図５（ｄ）の時計針方向に回す。すると、同図右側の回転軸止ピン３３を支点にして第一固定体４１に連結されているフック４３はスプリング３４の反力と反対方向に回動せしめられる。これにより、フック４３の先端の係止片４６と第二固定体５１側の凹部５５との係合が解除される。すると、第二固定体５１はスプリング３４の反力により、Ｃ、Ｄ方向に回動し、軸部１３を溝部２５の固定位置２２から突弧部分２６の方向へ回動して軸部１３を溝部２５内から押し出す力が作用し、支持部材１２をホルダー２１から抜脱することができる。
上記解除は、施工者が取っ手４４を動かすだけで行うことができ、ワンタッチで、かつ、簡単に、ランナー５の支持部材１２の固定解除が可能になる。
【００３７】
図６（ａ）、（ｂ）は本発明の第二実施例を示す。第二実施例では第一実施例と異なり、第一固定体６１と第二固定体７１が左右逆に取り付けられている。
ホルダー２１の第一固定体６１が、取っ手６４を有するアーム６２と第一固定爪６５を有するフック６３とからなる。第一固定爪６５の内側手前は湾曲し、第一湾曲縁６７を形成する。そして、係止片６６がフック６３の奥側に形成されている。
第二固定体７１は、第二固定爪７２と係止爪７４とからなり、この両者の間を湾曲させて第二湾曲縁７３としてある。
【００３８】
第一固定体６１、第二固定体７１はともに溝部２５の両側で第一実施例の場合と同じスプリング（図示しない）を介して回転軸止ピン３３で回動自在に軸止されている。
ホルダー２１の枠体３２の内奥面に枠体固定片６８が形成され、第一固定体６１の係止片６６と係合し、第一固定体６１が必要以上にＨ方向へ回動しないようにしている。
【００３９】
次に第二実施例の作用について説明する。
支持部材１２をホルダー２１の溝部２５に進入させると、まず支持部材１２の軸部１３が第二固定体７１の第二湾曲縁７３に接する。そのまま軸部１３を溝部２５の奥方向へ進入させると、第二固定体７１をＥ方向へ回動させる。
軸部１３をさらに奥方向へ進入させると、第二固定体７１の係止爪７４が第一固定体６１の第一固定爪６５に接し、第一固定体６１をＦ方向へ回動させる。
さらに軸部１３を奥方向へ進入させると、第二固定体７１の係止爪７４と第一固定体６１の第一固定爪６５とが外れ、スプリングの反力により第一固定体６１がＧ方向に回動し、第二固定体７１の係止爪７４が第一固定体６１の第一固定爪６５の奥側に位置する。
【００４０】
この状態で、軸部１３は第一固定体の第一湾曲縁６７と第二固定体７１の第二湾曲縁７３に接し、第一固定爪６５と第二固定爪７２とにより、狭持されて固定される。
このとき、第一固定体６１の係止片６６と枠体固定片６８の係合により第一固定体６１のＨ方向の回動が阻止される。そして、第二固定体７１の係止爪７４が第一固定爪の奥側に位置しているので、第二固定体７１もＧ方向への回動が阻止される。これにより、両固定体６１、７１の回動が阻止され、支持部材１２が完全に固定される。
【００４１】
逆に、上記固定状態を解除する場合は、第一固定体６１の取っ手６４をつまみ、図６（ｂ）の反時計針方向に回すと、第一固定体６１の第一固定爪６５と第二固定体７１の係止爪７４との係合が外れ、支持部材１２の固定が解除される。そして、スプリングの反力により第一固定体６１がＨ方向、第二固定体７１がＧ方向に回動し、軸部１３を溝部２５の手前方向に押し出す力が作用し、支持部材１２を開放することができる。
【図面の簡単な説明】
【００４２】
【図１】被開閉部に配置される案内体と開閉体とを示す斜視図で、開閉体の一部を切り欠いた状態で示す。
【図２】本発明の一例である支持部材が取り付けられたランナーの一例を示す斜視図である。
【図３】本発明のホルダーの一例を示す斜視図である。
【図４】本発明のホルダーの一例を示す斜視図で、第一固定体、第二固定体、スプリング、回転軸止ピンを分離した状態で示す。
【図５】本発明の第一実施例における固定作用を示す平面図で、ホルダーの上板を除いた状態で示す。
【図６】本発明の第二実施例における固定作用を示す平面図で、ホルダーの上板を除いた状態で示す。
【符号の説明】
【００４３】
１…被開閉部
２…開閉体
３…案内体
４…開放部
５…ランナー
１１…車輪
１２…支持部材
１３…軸部
１４…球状部
２１…ホルダー
２２…固定位置
２３…上板
２４…中板
２５…溝部
２６…突弧部分
２７…空洞部分
２８…軸孔
３１…基部
３２…枠体
３３…回転軸止ピン
３４…スプリング
３５…ビス孔
４１…第一固定体
４２…アーム
４３…フック
４４…取っ手
４５…第一固定爪
４６…係止片
４７…第一湾曲縁
５１…第二固定体
５２…第二固定爪
５３…第二湾曲縁
５４…係止爪
５５…凹部
６１…第一固定体
６２…アーム
６３…フック
６４…取っ手
６５…第一固定爪
６６…係止片
６７…第一湾曲縁
６８…枠体係止片
７１…第二固定体
７２…第二固定爪
７３…第二湾曲縁
７４…係止爪
【図１】
2010138674.tif 000003
【図２】
2010138674.tif 000004
【図３】
2010138674.tif 000005
【図４】
2010138674.tif 000006
【図５】
2010138674.tif 000007
【図６】
2010138674.tif 000008